(57)【要約】【課題】  保守員が誤って防犯映像の記録開始を実行出来なかった場合でも、確実に記録開始を実施することができる防犯情報管理システム及び映像記録装置を提供する。【解決手段】  防犯を必要とする場所に取り付けられ、この防犯場所の映像を撮影する防犯カメラ２と、この防犯カメラ２によって撮影される映像情報が記録される映像記録装置３とを備え、設定した時間が経過すると、防犯カメラ２によって撮影される映像情報が映像記録装置３によって自動的に記録を開始する。【選択図】      図１
2005217858.tif 000002
【特許請求の範囲】
【請求項１】
防犯を必要とする場所に取り付けられ、この防犯場所の映像を撮影する防犯カメラと、前記防犯場所と隔離された箇所に設置され、前記防犯カメラによって撮影される映像情報を記録する映像記録装置とを備えた防犯情報管理システムであって、
設定した時間が経過すると、前記防犯カメラによって撮影される映像情報を、前記映像記録装置によって自動的に記録を開始することを特徴とする防犯情報管理システム。
【請求項２】
防犯を必要とする場所に取り付けられ、この防犯場所の映像を撮影する防犯カメラと、
計時手段を備え、前記防犯場所と隔離された箇所に設置され、前記防犯カメラによって撮影される映像情報を受信し、記録する映像記録装置と、
前記防犯カメラと一体的に設置され、または防犯カメラから離れた個所に設置され、前記防犯カメラからからの映像情報を前記映像記録装置に送信し、また前記映像情報を前記映像記録装置に記録する際に表示される表示情報を前記映像記録装置から受信する第１の送受信部と、
前記映像記録装置に記録される映像情報を取り出し表示する表示指示用操作装置と、この表示指示用操作装置の操作に基づいて映像要求信号を前記第１の送受信部に向けて送信し、この映像要求信号に基づいて前記映像記録装置から前記第１の送受信部を介して送信されてくる映像情報を受信する第２の送受信部と、この第２の送受信部で受信される映像情報を表示する表示部と、この表示部に表示された映像情報を記憶する記憶部とを備えた携帯端末と、
を有する防犯情報管理システムであって、
設定した記録開始時刻であると前記計時手段によって判別されると、前記防犯カメラによって撮影された映像情報を、前記映像記録装置によって自動的に記録を開始することを特徴とする防犯情報管理システム。
【請求項３】
請求項１及び２に記載の防犯情報管理システムにおいて、
設定された記録開始時刻の前に前記携帯端末からの通信指令、又は前記映像記録装置からの操作入力指令があった場合は、前記計時手段による記録開始時刻までの計時をリセットし、再度計時を開始することを特徴とする防犯情報管理システム。
【請求項４】
請求項１乃至３のいずれかに記載の防犯情報管理システムにおいて、
前記記録開始時刻の任意設定、および前記記録開始時刻による自動記録処理の有無設定ができることを特徴とする防犯情報管理システム。
【請求項５】
請求項１乃至４のいずれかに記載の防犯情報管理システムにおいて、
前記映像記録装置は、現在の当該映像記録装置の状態情報を記録しておく状態記録手段をさらに備えており、前記映像記録装置に供給される電源が遮断された後、再度、電源が前記映像記録装置に供給される場合、前記状態記録手段に記録されている状態情報に基づいて、電源が遮断される前の状態に戻すことを特徴とする防犯情報管理システム。
【請求項６】
請求項１乃至５のいずれかに記載の防犯情報管理システムにおいて、
前記映像記録装置と接続可能であり、当該映像記録装置からの送られてくる映像情報を受信し、表示する映像表示装置をさらに有し、
前記記録開始時刻のカウント数を、前記映像表示装置に表示することを特徴とする防犯情報管理システム。
【請求項７】
防犯を必要とする場所に取り付けられ、この防犯場所の映像を撮影する防犯カメラによって撮影される映像情報を記録する映像記録装置であって、
設定した時間が経過すると、前記防犯カメラによって撮影される映像情報を、自動的に記録を開始することを特徴とする映像記録装置。
【請求項８】
防犯を必要とする場所に取り付けられ、この防犯場所の映像を撮影する防犯カメラによって撮影される映像情報を受信し、記録する映像記録装置であって、
時間をカウントする計時手段と、記録開始時刻記憶領域とを備え、
前記計時手段によって前記記録開始時刻記憶領域に記憶された設定時刻が参照され、設定された記録開始時刻となると、前記防犯カメラによって撮影された映像情報を、自動的に記録を開始することを特徴とする映像記録装置。
【請求項９】
請求項７及び８に記載の映像記録装置において、
設定された記録開始時刻の前に前記携帯端末からの通信指令、又は当該映像記録装置からの操作入力指令があった場合は、前記計時手段による記録開始時刻までの計時をリセットし、再度計時を開始することを特徴とする映像記録装置。
【請求項１０】
請求項７乃至９のいずれかに記載の映像記録装置において、
前記記録開始時刻の任意設定、および前記記録開始時刻による自動記録処理の有無設定ができることを特徴とする映像記録装置。
【請求項１１】
請求項７乃至１０のいずれかに記載の映像記録装置において、
状態情報を記録しておく状態記録手段をさらに備えており、供給される電源が遮断された後、再度、電源が供給される場合、前記状態記録手段に記録されている状態情報に基づいて、電源が遮断される前の状態に戻すことを特徴とする映像記録装置。
【請求項１２】
請求項７乃至１１のいずれかに記載の映像記録装置において、
映像情報を送信し、表示させる映像表示装置と接続可能であり、前記記録開始時刻のカウント数を、前記映像表示装置に表示することを特徴とする映像記録装置。
【発明の詳細な説明】
【技術分野】
【０００１】
本発明は、防犯用カメラで記録した映像を記録、表示するシステムに係り、例えばエレベータの乗りかご等に利用される防犯情報管理システム及び映像記録装置に関する。
【背景技術】
【０００２】
従来、例えばエレベータ等の乗りかご１内の犯罪を防止するために、かご内の適宜な個所に防犯カメラが取り付けられ、また乗りかご上部にハードディスクなどの映像記録装置が設置され、防犯カメラで撮影された映像情報を映像記録装置に記録・保存することが行われている。ところで、防犯カメラでの撮影・記録開始の操作は、保守員が乗りかごの上部に上がり、映像記録装置自体を操作する他、かご内から携帯端末装置により操作する方法がある。（例えば、非特許文献１を参照）。
【非特許文献１】東芝エレベータ  デジタル防犯カメラシステムインターネット＜URL:http://www.toshiｂa-elevator.co.jp/elv/catalog/img/camera/p06_09.pdf＞
【発明の開示】
【発明が解決しようとする課題】
【０００３】
しかしながら、以上のような防犯カメラで撮影された映像情報や映像記録装置の記録開始方法には、次のような問題点が指摘されている。記録開始方法は、保守員が乗りかごの上部に上がり、映像記録装置自身の操作を行うものであり、作業環境は悪く、その結果、操作ミスを引き起こす可能性が有る。またかご上にいる間、エレベータの運転を停止しなければならず、種々の時間的な制約があり、記録の確認作業を怠る可能性も有る。この結果、記録開始をしたつもりが、記録が開始されていない場合がある。また、かご内から記録状態の確認が困難である。また、携帯端末の操作による記録開始は、エレベータ保守員以外の例えばピルオーナーでも実施可能である。しかし、携帯端末操作に熟知した保守員が操作することに比べ、操作ミスが発生する可能性が有る。また、設定変更や、記録検索などの操作を実施すると、記録停止となるため、改めて開始ボタンを操作しないと記録が開始されず肝心の犯罪発生時の映像を取れないという不都合が生じる場合があった 
本発明は上記事情に鑑みてなされたもので、保守員が誤って防犯映像の記録開始を実行出来なかった場合でも、確実に記録開始を実施することができる防犯情報管理システム及び映像記録装置を提供することを目的とする。
【課題を解決するための手段】
【０００４】
本発明はかかる課題を解決するものであり、防犯を必要とする場所に取り付けられ、この防犯場所の映像を撮影する防犯カメラと、前記防犯場所と隔離された箇所に設置され、前記防犯カメラによって撮影される映像情報を記録する映像記録装置とを備えた防犯情報管理システムであって、設定した時間が経過すると、前記防犯カメラによって撮影される映像情報を、前記映像記録装置によって自動的に記録を開始することを特徴とする防犯情報管理システムである。
【０００５】
したがって本発明は、防犯を必要とする場所に取り付けられ、この防犯場所の映像を撮影する防犯カメラと、防犯カメラによって撮影される映像情報が記録される映像記録装置とを備え、設定した時間が経過すると、防犯カメラによって撮影される映像情報が映像記録装置によって自動的に記録が開始される。このため、保守員が誤って防犯映像の記録開始を実行出来なかった場合でも、確実に記録開始を実施することができる。
【発明の効果】
【０００６】
保守員が誤って防犯映像の記録開始を実行出来なかった場合でも、確実に記録開始を実施することができる防犯情報管理システム及び映像記録装置を提供する。
【発明を実施するための最良の形態】
【０００７】
以下図面を参照して、本発明の実施形態を説明する。
【０００８】
図１は、本発明の一実施形態に係わる防犯情報管理システムの構成を示す模式図である。この防犯情報管理システムは、防犯を必要とする場所、例えばエレベータの乗りかご１内の天井などに取り付けられる防犯カメラ２と、この防犯カメラ２で撮影された乗りかご１内の映像を記録するハードディスクレコーダなどの映像記録装置３と、この映像記録装置３に保存される映像情報及び後述する表示情報を表示する表示機（映像表示装置）４と、映像記録装置３に保存される映像情報を取り込んで表示し、また表示機４に表示したい表示情報を無線等により送受信するための第２の送受信部を備えた携帯端末５とにより構成されている。
【０００９】
防犯カメラ２は、例えば撮像管やＣＣＤ、ＣＭＯＳなどの固体撮像デバイス等の撮像素子などを用いたビデオ、デジタルの撮像カメラであって、例えばエレベータの場合には、乗降者の手の届き難いエレベータ乗りかご１内の天井に取り付けられるが、的確な映像を撮影する観点から、乗りかご１内の天井であっても、比較的ドアから離れた乗りかご１内天井の比較的奥側からドア側を望むような場所に取り付けるのが望ましく、さらには正面のドアと対持するかご内の壁面の比較的高い位置に取り付けてもよい。
【００１０】
また、防犯カメラ２は、そのまま乗りかご１内の天井に直付けする方法もあるが、外部から直接的に防犯カメラ２と判断されると防犯上好ましくないので、外側から例えば撮影上支障をきたさない材料の外装体６で防犯カメラ２を覆うことにより、自然な雰囲気の状態を保つように取り付けるのが望ましい。従って、防犯カメラ２という場合、乗りかご１内に直付けする場合だけでなく、外装体６で覆う場合も含むものであり、特に請求項の記載においては、前述する両方の場合を含む。
【００１１】
この防犯カメラ２内または外装体６内には映像送受信部（第１の送受信部）７が設けられている。この映像送受信部７は、携帯端末５からの要求に基づいて映像記録装置３に保存されている映像情報を携帯端末５に無線又は有線にて伝送し、また携帯端末５から表示機４に表示したい掲示板情報、所要とするメッセージ情報等の表示情報を無線又は有線にて受信し、映像記録装置３に送信する機能をもっている。
【００１２】
映像送受信部７と映像記録装置３は、映像用ケーブル８ａ及び制御用ケーブル８ｂを含む通信ケーブル８で接続され、また防犯カメラ２と映像記録装置３は撮影用ケーブル９で接続されている。また、この映像送受信部７は、表示機４の近傍または、表示機４の筐体表面に赤外線ののぞき窓を設け、内部に収納して取り付けることも可能である。この場合は、映像記録装置３は、映像用ケーブル８ａ及び制御用ケーブル８ｂを含む通信ケーブル８で表示機４の近傍または、表示機４の内部に取り付けた映像送受信部７と接続する。
【００１３】
映像記録装置３は、予め設定される動作条件のもとに防犯カメラ２で撮影される映像情報を記録・保存し、保存された映像情報を再生し、携帯端末５や表示機４に表示する機能を有するものであり、具体的には図２に示すように構成されている。すなわち、映像記録装置３は、外部からの電源の供給を受け、当該映像記録装置３の各部に電源を供給する電源部３０、予め定める動作条件のもとに映像情報の記録・再生の他、携帯端末５から映像送受信部７及び制御用ケーブル８ｂを介して授受される制御信号のもとに所要の処理制御を実行するＣＰＵ等で構成される処理制御部３１（カウンタ等の計時手段３１ａを備える）、記憶装置３２、防犯カメラ２で撮影された映像を撮影用ケーブル９を経由して受け取り、静止映像に変換するエンコーダ３３、このエンコーダ３３により変換された静止映像等を後述する記憶装置３２の撮影映像保存領域３２aに保存する画像処理部３４及びデコーダ３５によって構成されている。記憶装置３２は、少なくとも映像情報を保存する撮影映像保存領域３２a、携帯端末５からの表示情報を記録する表示情報保存領域３２b、停電時等の電源供給が停止した際に停止前の映像記録装置３の状態情報を保存する状態情報保存領域３２ｃ、映像の記録を自動的に開始する時刻を保存する記録開始時刻情報保存領域３２ｄ、および映像の記録を自動的に開始する自動記録機能のＯＮ／ＯＦＦの設定情報を保存する自動記録設定情報保存領域３２ｅを備える。
【００１４】
なお、携帯端末５から映像記録装置３への制御信号としては、映像記録装置３の動作状態を停止したり、動作条件（例えば、記録開始時刻情報の設定等）を変更したり、表示機４に対する表示情報（記録されている画像情報等の各種情報のうち、表示機４に表示させる情報）の選択変更を含むものである。
【００１５】
また、映像記録装置３は、自身の表示選択機能部(図示せず)により、表示情報保存領域３２bに保存されている静止表示情報から適宜選択し、画像処理部３４を通り、デコーダ３５でデコーディングし、表示用ケーブル１０を介して表示機４に送出する機能、携帯端末５から映像送受信部７及び映像用ケーブル８bを経由してくる表示情報を取り込み、処理制御部３１の保存処理に基づいて記憶装置３２の表示情報保存領域３２bに保存する機能をもっている。また、計時手段（カウンタ）３１ａは、計時（カウント）を行い、記憶装置３２の記録開始時刻情報保存領域に記録されている記録開始時刻情報を参照し、記録開始時刻となり、かつ、自動記録設定情報保存領域３２ｅに記録されている設定情報を参照し、自動記録機能がＯＮであった場合に、自動的に映像の記録を開始する。さらに、映像記録装置３と表示機４側とは、前述した表示用ケーブル１０で接続されている。
【００１６】
次に、本発明の映像記録装置を適用した防犯情報管理システムの記録開始動作について図３のフローチャートを用いて説明する。
【００１７】
まず、防犯映像の記録開始において、通常、携帯端末５あるいは、映像記録装置３の録画開始スイッチにより、記録開始を映像記録装置３に命令し、連続録画、アラーム録画（異常を感知した場合に録画する）、およびタイマー録画などの各記録設定条件での記録開始が行われる。以下、これらを記録開始操作と称す。
【００１８】
図３に示すように、ステップＳ１で、映像記録装置３の処理制御部３１は、上述した記録開始操作が行われなかったか否かを判別する。記録開始操作が行われなかったと判別された場合は、ステップＳ３で、映像記録装置３の電源がＯＮとなり、ステップＳ５で、処理制御部３１の計時手段３１ａ（処理制御部３１の内部のタイマー回路）により、計時（タイマーカウント）が開始される。ステップＳ７で、計時手段３１ａは、記憶装置３２の記録開始時刻情報保存領域３２ｄに記録されている所定の時間が経過したか否かを判別する。すなわち、携帯端末５からの通信指令が８bを経由して入力されるか、もしくは、映像記録装置３の記録開始ボタン操作などが入力された場合は、タイマーカウントを一度リセットし、再度カウントを開始する（ステップＳ７のＮｏにより、ステップＳ５に戻る）。つまり、携帯端末５あるいは、映像記録装置３の操作がある限りは、タイマーカウントはリセットを繰り返すこととなる。処理制御部３１の計時手段３１ａは、記憶装置３２の状態情報保存領域３２ｃに予め設定した値を取り出し、タイマーカウントの値と比較し、同一の値となった場合には、撮影用ケーブル９、エンコーダ３３、画像処理部３４を経由して入力されたカメラ映像を、記憶装置３２の撮像映像保存領域３２ａに記録する。
【００１９】
記憶装置３２には、携帯端末５からの通信指令を８bを経由して入力するか、映像記録装置３のスイッチ操作等により、自動記録開始までの時間や、この機能を有効にする（ＯＮ）、しない（ＯＦＦ）等を、予め設定可能である。通常は初期設定において、この機能は有効としておき、電源が入るだけでこの動作状態に入る。すなわち、設定変更や、記録情報の検索などの操作が行われない時間がある一定以上継続した場合に、予め記憶装置３２に記憶してある記録設定条件にしたがい、記録動作を開始する。
【００２０】
ステップＳ７で、計時手段３１ａによって、記憶装置３２の記録開始時刻情報保存領域３２ｄに記録されている所定の時間が経過したと判別された場合は、処理制御部３１は、ステップＳ９で、記憶装置３２の自動記録設定情報保存領域３２ｅに記録されている自動記録機能のＯＮ／ＯＦＦの設定情報を参照し、自動記録機能がＯＮであるか否かを判別する。ステップＳ９で、自動記録機能がＯＮであると判別された場合は、ステップＳ１１で、処理制御部３１により、映像記録が開始される。
【００２１】
次に、外部的に電源ＯＦＦとなり、電源部３０に電源が供給されなくなった場合の処理について、図４のフローチャートを参照して説明する。
【００２２】
映像記録装置３の記録動作中等、すべての動作中においては、現時点の記録条件、設定条件などは、記憶装置３２の状態情報保存領域３２ｂに状態情報として記憶しておく。まず、映像記録装置３の処理制御部３１は、ステップＳ２０で記録処理を開始する。続いて、映像記録装置３の処理制御部３１は、ステップＳ２２で、電源部３０に電源が供給されているか否かを監視する。そして、映像記録装置３の処理制御部３１は、停電等により、電源部３０に電源が供給されていないと判別されると、ステップＳ２４で電源復帰まで待機状態となる。実際には、ステップＳ２２からステップＳ２４への移行は、停電により、映像記録装置３が機能停止することにより、動作不能状態となることにより行われる。映像記録装置３の処理制御部３１は、ステップＳ２６で、電源が復帰されると、記憶装置３２の状態情報保存領域３２ｂから状態情報である電源停止直前の記録条件、設定条件等を読み出す。映像記録装置３の処理制御部３１は、ステップＳ２８で、読み出した状態情報に基づいて、電源ＯＦＦ直前の記録条件と同等の記録状態にもどる。
【００２３】
次に、本発明の実施形態に係る映像記録装置３は、当該映像記録装置３の計時手段３１ａによってカウントされている自動記録のカウント数を、処理制御部３１から画像処理部３４、表示用ケーブル１０を経由して、出力することができる。この際、映像信号に文字をスーパーインポーズして出力するか、または映像記録装置３のメニュー画面上に表示するようにしておけば、表示用ケーブル１０に接続された表示機４や、ケーブル８aを経由して映像を取得する携帯端末５の表示画面において、この機能が現在有効であることと、記録開始のタイミングが容易に判断できる。また、表示機４は、乗りかご１内、ホールなどのエレベータ施設のみならず、管理人室などへも設置可能である。
【００２４】
以上のように、本発明の実施形態によれば、保守員が誤って防犯映像の記録開始を実行出来なかった場合でも、記録開始を確実に実施できるため、防犯映像を確実に記録できる。電源が一時的に遮断された場合も、電源が復帰すればもとの記録状態に戻り、防犯映像を確実に記録できる。スーパーインポーズ機能により、かご内から記録状態の確認が可能になる。
【００２５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２６】
【図１】本発明の実施形態に係る防犯情報管理システムの構成を示す模式図。
【図２】本実施形態の実施形態に係る映像記録装置の構成を示すブロック図。
【図３】本発明の実施形態に係る映像記録装置を適用した防犯情報管理システムの記録開始動作について示したフローチャート。
【図４】本発明の実施形態に係る映像記録装置を適用した防犯情報管理システムにおいて、外部的に電源ＯＦＦとなり、映像記録装置に電源が供給されなくなった場合の処理を示したフローチャート。
【符号の説明】
【００２７】
２…防犯カメラ、３…映像記録装置、４…表示機、５…携帯端末、７…映像送受信部、８…通信ケーブル、９…撮影用ケーブル、１０…表示用ケーブル、３０…電源部、３１…処理制御部、３１ａ…計時手段、３２…記憶装置、
【図１】
2005217858.tif 000003
【図２】
2005217858.tif 000004
【図３】
2005217858.tif 000005
【図４】
2005217858.tif 000006